(57)【要約】【課題】使用コストが低い太陽電池接続箱の提供。【解決手段】太陽電池接続箱は、下カバー、下カバーと気密状態で係合する上カバー（２）、及び上カバー内に設けられたコネクタ組立体（３）を具備する。下カバーには、第１接続端子が設けられると共に、太陽電池パネルの正極及び負極にそれぞれ接続された金属箔が通過するよう構成された開口が形成される。開口を通過する金属箔は、第１接続端子とそれぞれ接触状態にある。コネクタ組立体は第２接続端子を具備する。第１接続端子及び第２接続端子は、上カバー及び下カバーが互いに係合する際に電気接続される。太陽電池接続箱において、コネクタ組立体等の多くの電気部品は上カバーに設けられるのに対し、上カバーは、太陽電池パネルに固定実装された下カバーに取外し可能に係合する。【選択図】図３
0003165109.tif 000002
【実用新案登録請求の範囲】
【請求項１】
下カバー（１）、該下カバーと気密状態で係合する上カバー（２）、及びコネクタ組立体（３）を具備する接続箱であって、
前記コネクタ組立体は前記上カバー内に設けられ、
前記下カバーには、第１接続端子（１０）が設けられると共に、太陽電池パネルの正極及び負極にそれぞれ接続された金属箔（２０）が通過する開口（１ａ）が形成され、
前記開口を通過する前記金属箔は、前記第１接続端子とそれぞれ接触状態にあり、
前記コネクタ組立体は、前記上カバー及び前記下カバーが互いに係合する際に、前記第１接続端子に電気接続される第２接続端子（３０）を具備することを特徴とする接続箱。
【請求項２】
前記第１接続端子及び前記第２接続端子の一方は雌型部（１０ａ）を有し、
前記第１接続端子及び前記第２接続端子の他方は雄型部（３０ａ）を有し、
前記雌型部及び前記雄型部は、前記下カバー及び前記上カバーが互いに係合する際の外部圧力の下で互いに接続されることを特徴とする請求項１記載の接続箱。
【請求項３】
前記雄型部はピン板状部として具現化されるのに対し、前記雌型部は前記ピン板状部と嵌合するソケットとして具現化されることを特徴とする請求項２記載の接続箱。
【請求項４】
前記コネクタ組立体は、ダイオード（６０）と、該ダイオードを固定するよう構成されると共に前記第２接続端子に電気接続される導体（３１）とをさらに具備することを特徴とする請求項１記載の接続箱。
【請求項５】
前記導体は１対の弾性部材（３１０）を有し、
前記弾性部材の各々は、対向する１対の圧接面（３１０ａ）を形成してその間に前記ダイオードを保持するために、他方の前記弾性部材に向かって湾曲する一端を有し、
前記対向する１対の圧接面は、前記ダイオードのピンの挿入を可能にするスロット（３１０ｂ）をそれぞれ有することを特徴とする請求項４記載の接続箱。
【請求項６】
前記導体及び前記第２接続端子は一部品に形成されていることを特徴とする請求項４記載の接続箱。
【請求項７】
前記下カバーを前記上カバーに係合するよう構成されたロック手段をさらに具備し、
前記ロック手段は、前記下カバーに設けられたラッチ部材（５０ａ）と、該ラッチ部材と係合するために前記上カバーに設けられた係止ソケット（５０ｂ）とを具備することを特徴とする請求項１記載の接続箱。
【請求項８】
前記コネクタ組立体の外周に設けられ内部にシール部材（４０）を受容するよう構成された封止溝（４０ａ）をさらに具備することを特徴とする請求項１記載の接続箱。
【考案の詳細な説明】
【技術分野】
【０００１】
本考案は、電気コネクタの分野に関し、特に太陽電池（photovoltaic）接続箱に関する。
【背景技術】
【０００２】
太陽エネルギーは一種の再生可能エネルギーであることが知られている。太陽エネルギーの電気エネルギーへの変換は、エネルギー節約及び環境汚染低減等の多くの利点を有する。このため、このエネルギー変換技術は大いに注目される。
【０００３】
太陽エネルギーの光電池モジュールは、太陽エネルギーの電気エネルギーへの変換用の一般的装置の一つであり、単結晶シリコン、多結晶シリコン、薄膜電池等を主に含む。通常、太陽電池接続箱は、光電池モジュールから外部電力貯蔵装置に電力を供給するように、太陽エネルギーの光電池モジュール及び外部電力貯蔵装置の間で接続するように構成されている。
【０００４】
太陽電池接続箱は、使用時に、電力を伝送するために太陽電池パネル上に固定される。一般に、太陽電池接続箱は、コネクタ組立体の部品の大多数（例えば、接続端子、ダイオード等）が実装される下カバーと、下カバーとの間にコネクタ組立体を保持するために下カバーと気密状態で協働する上カバーとを有する。詳細には、従来の太陽電池接続箱において、コネクタ組立体の部品の大多数は、通常、太陽電池パネルに固定実装される下カバーに実装される。すなわち、太陽電池パネルに太陽電池接続箱を一旦実装すると、下カバーは、太陽電池パネル上に事実上固定され、太陽電池パネルから容易に取り外すことが困難である。
【０００５】
上述した構造では、従来の太陽電池接続箱は、以下の問題に遭遇することが多い。すなわち、太陽電池接続箱が使用時に一旦不良になると、不良の太陽電池接続箱が実装された太陽電池パネル全体の機能が停止する。このため、従来の太陽電池接続箱は、使用時にコストが高い。
【先行技術文献】
【特許文献】
【０００６】
【特許文献１】特開２００４−８０９１８号公報
【特許文献２】特開２００１−１４５２３１号公報
【考案の概要】
【考案が解決しようとする課題】
【０００７】
本考案は、上述した不利のうちの少なくとも一面を克服又は緩和するためになされたものである。よって、上カバー及び下カバーを有する接続箱であって、接続箱の大多数の部品が上カバーに実装され、上カバーが下カバーと取外し可能に係合するように、太陽電池パネルに固定された下カバーと協働する太陽電池接続箱を提供すると有利である。従って、使用時のコストが低い太陽電池接続箱を提供すると有利である。
【課題を解決するための手段】
【０００８】
本考案の一側面によれば、太陽電池接続箱が提供される。本考案に係る太陽電池接続箱は、下カバー、下カバーと気密状態で係合する上カバー、及びコネクタ組立体を具備し、コネクタ組立体は上カバー内に設けられ、下カバーには、第１接続端子が設けられると共に、太陽電池パネルの正極及び負極にそれぞれ接続された金属箔が通過するよう構成された開口が形成される。開口を通過する金属箔は、第１接続端子とそれぞれ接触状態にある。コネクタ組立体は、上カバー及び下カバーが互いに係合する際に、第１接続端子に電気接続される第２接続端子を具備する。
【０００９】
本考案の一実施形態によれば、第１接続端子及び第２接続端子の一方は雌型部を有し、第１接続端子及び第２接続端子の他方は雄型部を有する。雄型部は、下カバー及び上カバーが互いに係合する際の外部圧力の下で雌型部に挿入され接続される。
【００１０】
特に、雄型部はピン板状部として具現化されるのに対し、雌型部はピン板状部と嵌合するソケットとして具現化される。
【００１１】
好適には、コネクタ組立体は、ダイオードと、ダイオードを固定するよう構成されると共に第２接続端子に電気接続される導体とをさらに具備する。
【００１２】
具体的には、導体は１対の弾性部材を有する。各弾性部材は、対向する１対の圧接面を形成してその間にダイオードを保持するために、他方の弾性部材に向かって湾曲する一端を有する。対向する１対の圧接面は、ダイオードのピンの挿入を可能にするスロットをそれぞれ有する。
【００１３】
好適には、導体及び第２接続端子は一部品に一体化されている。
【００１４】
本考案の別の実施形態によれば、上カバー及び下カバーは、ロック手段によりさらに互いに固定される。ロック手段は、下カバーに設けられたラッチ部材と、ラッチ部材と係合するために上カバーに設けられた係止ソケットとを具備する。
【００１５】
本考案のさらに別の実施形態によれば、太陽電池接続箱は、コネクタ組立体の外周に設けられ内部にシール部材を受容するよう構成された封止溝をさらに具備する。
【００１６】
上述した説明から明白なように、本考案の太陽電池接続箱は、少なくとも次の利点を有する。すなわち、本考案に係る太陽電池接続箱において、例えば、接続端子、ダイオード等のコネクタ組立体の多くの部品は上カバーに設けられ、上カバー及び下カバーは取外し可能な方法で互いに係合している。すなわち、上カバーは、必要に応じて下カバーから自在に取り外すことができる。従って、本考案によれば、太陽電池パネルに実装された太陽電池接続箱が一旦故障すると、太陽電池接続箱全体の交換、或いは太陽電池パネルの交換までも回避するために必要なことは、上カバーに実装されたコネクタ組立体の多くの部品を有する上カバーを新品の上カバーに交換することのみである。従って、太陽電池接続箱の維持管理又は使用に係るコストが低減される。さらに、従来技術と比較すると、本考案の太陽電池接続箱は、上カバー及び下カバーの係合を容易にし、作業工程を簡単にし、製造及び補修を容易にし、下カバーを再使用可能又はリサイクル可能にでき、その結果、太陽電池接続箱のコストを低減する。
【００１７】
本考案の側面及び利点は、添付図面と併用して実施形態の以下の説明から明白であり、より容易に理解できるであろう。
【図面の簡単な説明】
【００１８】
【図１】本考案の一実施形態に係る太陽電池接続箱を示す斜視図である。
【図２】本考案の一実施形態に係る太陽電池接続箱の下カバーを示す斜視図である。
【図３】本考案の一実施形態に係る太陽電池接続箱の上カバーを示す斜視図である。
【図４】下カバー及び上カバーが互いに気密状態で係合する状態を示す、本考案の一実施形態に係る太陽電池接続箱の部分断面した拡大図である。
【考案を実施するための形態】
【００１９】
以下、添付図面を参照して本考案の典型的な実施形態を詳細に説明する。ここで、同様の要素には同様の参照符号が付される。しかし、本考案は、異なる形態で実施することができ、本明細書で述べられた実施形態に限定するものとして解釈すべきではない。むしろ、これらの実施形態は、本考案の開示が完全且つ徹底的であり、当業者に本考案の開示のコンセプトを十分に伝えるように提供されたものである。
【００２０】
図１ないし図４は、本考案の一実施形態に係る太陽電池接続箱を示す。具体的には、図１は、本考案の一実施形態に係る太陽電池接続箱を示す斜視図である。図２は、本考案の一実施形態に係る太陽電池接続箱の下カバーを示す斜視図である。図３は、本考案の一実施形態に係る太陽電池接続箱の上カバーを示す斜視図である。図４は、下カバー及び上カバーが互いに気密状態で係合する際の太陽電池接続箱の内側を示す、本考案の一実施形態に係る太陽電池接続箱の部分断面した拡大図である。
【００２１】
最初に、図１ないし図３を参照すると、太陽電池接続箱が示される。本考案によれば、太陽電池接続箱は、下カバー１、上カバー２及びコネクタ組立体３を主に具備する。上カバー２及び下カバー１は、それらの間にコネクタ組立体３を保持するために気密状態で互いに係合する。コネクタ組立体３は、太陽エネルギーの光電池モジュールから外部電力貯蔵装置に電力を供給してエネルギーを伝送するために、太陽エネルギーの光電池モジュール及び外部電力貯蔵装置の間の電気接続に使用される。特に、コネクタ組立体３は、太陽電池接続箱内に、接続端子、ダイオード等の電気接続部品を主に具備する。特に本実施形態によれば、太陽電池接続箱内のこれらの電気接続部品は、太陽電池パネル（図示せず）の正極及び負極にそれぞれ結合された金属箔２０と、外部電力貯蔵装置（ここでは、外部ケーブル１００で例示する）に結合された外部適応デバイス９０とにそれぞれ電気接続される。一方で、便宜上、コネクタ組立体３は、接続端子１０，３０、導体３１及びダイオード６０を有するのみである。当業者であれば、太陽電池接続箱のコネクタ組立体３は、本開示で説明した部品以外のより多くの他の部品を有することを知るべきである。
【００２２】
本考案によれば、太陽電池接続箱において、コネクタ組立体３の多くの部品は、太陽電池接続箱の上カバー２に設けられている。詳細には、コネクタ組立体３は、第２接続端子３０、導体３１及びダイオード６０を具備する。下カバー１には、第１接続端子１０が設けられると共に、開口１ａが形成される。太陽電池パネルの正極及び負極にそれぞれ接続された金属箔２０が、開口１ａを通過する。開口１ａを通過する金属箔２０は、第１接続端子１０とそれぞれ接触状態にある。第２接続端子３０は、上カバー１及び下カバー２が互いに係合する際に、第１接続端子１０に電気接続される。このため、太陽電池接続箱の下カバー１は太陽電池パネルに固定されているが、コネクタ組立体３の大多数の部品が設けられる上カバー２は、下カバー１から取外し可能である。このようにして、いくつかの部品（例えばダイオード６０）が一旦故障すると、太陽電池接続箱全体又は太陽電池パネルを交換せずに必要な作業は、太陽電池パネルに固定された下カバー１から太陽電池接続箱の上カバー２を取り外し、次に、上カバー２の不良部品をメンテナンス又は交換することだけである。従って、太陽電池接続箱のメンテナンス又は使用のコストは著しく低減される。
【００２３】
本考案によれば、第１接続端子１０及び第２接続端子３０の一方は雌型部１０ａを有し、第１接続端子１０及び第２接続端子３０の他方は雄型部３０ａを有する。雌型部１０ａ及び雄型部３０ａは、下カバー１及び上カバー２が互いに係合する際に外部圧力により互いに接続するようになる。特に、本考案の一実施形態によれば、図２ないし図４に示されるように、第１接続端子１０は雌型部１０ａを有し、第２接続端子３０は雄型部３０ａを有する。第１接続端子１０の雌型部１０ａは、下カバー１及び上カバー２が互いに気密状態で係合する際の外部圧力の下で、第２接続端子３０の雄型部３０ａを受容すると共に係合し、その結果、第１接続端子１０及び第２接続端子３０を電気接続する。或いは、別の実施形態では、上カバー２に設けられた第２接続端子３０が雌型部を有するのに対し、下カバー１に設けられた第１接続端子１０が雄型部を有してもよい。
【００２４】
本考案の一実施形態によれば、図３に示されるように、雄型部３０ａはピン板状部として具現化されるのに対し、図２に示されるように、雌型部１０ａはピン板状部と嵌合するソケットとして具現化される。このため、図４に示されるように、第２接続端子３０の雄型部３０ａすなわちピン板状部は、下カバー１及び上カバー２が互いに係合する際に第１接続端子１０の雌型部１０ａすなわちソケットと接続するようになり、その結果、電気的に接続される。その一方で、本考案の一実施形態によれば、図２及び図４に示されるように、下カバー１の開口１ａ内に設けられると共に太陽電池パネルに電気接続されるよう構成された金属箔２０は、板状端部２０ａを有する。この板状端部２０ａは外部圧力の作用の下で第１接続端子１０と係合するので、電気接続が完了する。
【００２５】
本考案に係る太陽電池接続箱において、図３及び図４に示されるように、第２接続端子３０は、ダイオード６０を固定するよう構成されると共に第２接続端子３０に電気接続された導体３１をさらに具備する。具体的には、図３に示されるように、導体３１は１対の弾性部材３１０を有する。各弾性部材３１０は、対向する１対の圧接面３１０ａを形成してその間にダイオード６０を保持するために、他方の弾性部材３１０に向かって湾曲する一端を有する。対向する１対の圧接面３１０ａは、ダイオード６０のピンの挿入を可能にするスロット３１０ｂをそれぞれ有する。或いは、別の実施形態において、対向する圧接面３１０ａは、その間にダイオード６０を保持することなく、ダイオード６０の両側にそれぞれ配置されてもよい。好適には、導体及び第２接続端子は一体品に形成される。
【００２６】
また、本考案に係る太陽電池接続箱は、シール（封止）部材４０をさらに具備する。具体的には、図３に示されるように、リング形状のシール部材４０が上カバー２のコネクタ組立体３の外側に配置される。対応して、図２に示されるように、下カバー１には、シール部材４０を受容するよう構成された封止溝４０ａがコネクタ組立体３の外周に設けられる。このため、シール部材４０は、下カバー１及び上カバー２が互いに係合する際に封止溝４０ａ内に受容され、その結果、下カバー１及び上カバー２が気密状態で係合する。本考案に係る接続箱の上カバー２及び下カバー１の係合に任意の適当な気密構造を採用してもよいことに言及する価値はある。
【００２７】
その上、本考案に係る太陽電池接続箱は、下カバー１を上カバー２に係合するよう構成されたロック手段をさらに具備する。具体的には、図２及び図３に示されるように、ロック手段は、上カバー２及び下カバー１の係合が確保されるように、下カバー１に設けられたラッチ部材５０ａと、ラッチ部材５０ａと係合するため上カバー２に設けられた係止ソケット５０ｂとを具備する。すなわち、本考案に係る太陽電池接続箱において、上カバー２及び下カバー１は、ロック手段のロック作用によってのみ互いに係合する。このため、本太陽電池接続箱は、上カバー２及び下カバー１の係合を容易にすると共に作業工程を簡素化する。さらに、上カバー２は、不良の場合には下カバー１から取外し可能である。この結果、本太陽電池接続箱は、製造及び修理を容易にし、下カバー１を再使用可能にする。従って、太陽電池接続箱の維持コスト又は使用コストを低減する。また、取外し可能である任意の適当なロック構造を、本考案に係る太陽電池接続箱の上カバー２及び下カバー１の係合に採用できることに言及する価値はある。
【００２８】
いくつかの典型的な実施形態を示し且つ説明したが、当業者であれば、請求の範囲に定義された範囲及びその等価物である本開示の原理及び真髄から逸脱することなく、これらの実施形態に種々の変更、変形を加えてもよいことを理解するであろう。また、請求の範囲における参照符合は、請求の範囲を限定するものとして解釈してはならないことに留意すべきである。
【符号の説明】
【００２９】
１      下カバー
１０      第１接続端子
１０ａ      雌型部
１ａ      開口
２      上カバー
３      コネクタ組立体
３０      第２接続端子
３０ａ      雄型部
３１      導体
３１０      弾性部材
３１０ａ      圧接面
３１０ｂ      スロット
６０      ダイオード
２０    金属箔
４０    シール部材
４０ａ  封止溝
５０ａ  ラッチ部材
５０ｂ  係止ソケット
【図１】
0003165109.tif 000003
【図２】
0003165109.tif 000004
【図３】
0003165109.tif 000005
【図４】
0003165109.tif 000006